(57)【要約】【課題】光ディスク再生装置において、横置き及び縦置きのどちらの状態で使用した場合であっても熱の冷却効率を良くする。【解決手段】ＢＤ再生装置は、ディスプレイを有する表示装置と、ＢＤディスク再生部を有する本体装置４とを備え、横置き及び縦置きの状態で使用可能な機器である。筐体底面４ａは四角形状であり、４辺近傍のそれぞれに放熱穴６１〜６４が設けられている。放熱穴６１〜６３は、それぞれ筐体底面４ａのエッジ部に形成されている。本体装置４は、ＢＤディスク再生部に加えて、基板と、基板から発生する熱を拡散するためのヒートシンクを有する。ヒートシンクは、筐体底面４ａの内側に設けられたスペース確保用ボス上に載置され、筐体底面４ａとヒートシンクとの間には、ほぼ均一な隙間が確保される。また、ヒートシンクは、平面形状であり、少なくとも一部が放熱穴６１〜６４の筐体底面４ａ部分と対向する位置に配される。【選択図】図２
2011141922.tif 000002
【特許請求の範囲】
【請求項１】
発熱体と、該発熱体から発生する熱を拡散するためのヒートシンクとを筐体内部に備え、横置き及び縦置きが可能であり、横置き時の側面が縦置き時の底面である光ディスク再生装置において、
四角形状である横置き時の筐体底面の少なくとも対向する２辺近傍にそれぞれ放熱穴を設け、
前記放熱穴のうち、少なくとも１つは、筐体側面から筐体底面にかけて形成され、
前記ヒートシンクは、平面形状であり、少なくとも一部が前記放熱穴の筐体底面部分と対向すると共に、該ヒートシンクと筐体底面との間にほぼ均一な隙間を確保する位置に設けられることを特徴とする光ディスク再生装置。
【請求項２】
筐体内部には、前記ヒートシンクと筐体底面との間にほぼ均一な隙間を確保するためのスペース確保用ボスが設けられていることを特徴とする請求項１に記載の光ディスク再生装置。
【発明の詳細な説明】
【技術分野】
【０００１】
本発明は、横置き及び縦置きが可能であり、筐体に放熱穴を有する光ディスク再生装置に関する。
【背景技術】
【０００２】
近年、縦置き及び横置きが可能であり、筐体内部に格納されたマイコン等からの発熱を放熱するための放熱穴が設けられた再生装置が普及している（例えば、特許文献１乃至４参照）。これらの再生装置は、縦置き又は横置きのどちらの状態で使用されている場合であっても、筐体に設けられた放熱穴が筐体の上下に位置して放熱するように設計されている。しかしながら、これらの再生装置は、縦置き又は横置きで使用された場合には空気の流路が閉ざされる等により冷却効率が悪くなるという問題がある。
【先行技術文献】
【特許文献】
【０００３】
【特許文献１】特開２００４−４７８６９号
【特許文献２】特開２００８−３１１３３０号公報
【特許文献３】特許３７６５２３１号
【特許文献４】特開平１０−２６１８８４号公報
【発明の概要】
【発明が解決しようとする課題】
【０００４】
本発明は、上述した問題点を解決するためになされたものであり、横置き及び縦置きのどちらの状態で使用した場合であっても、熱の冷却効率が良い光ディスク再生装置を提供することを目的とする。
【課題を解決するための手段】
【０００５】
上記目的を達成するために請求項１の発明は、発熱体と、該発熱体から発生する熱を拡散するためのヒートシンクとを筐体内部に備え、横置き及び縦置きが可能であり、横置き時の側面が縦置き時の底面である光ディスク再生装置において、四角形状である横置き時の筐体底面の少なくとも対向する２辺近傍にそれぞれ放熱穴を設け、前記放熱穴のうち、少なくとも１つは、筐体側面から筐体底面にかけて形成され、前記ヒートシンクは、平面形状であり、少なくとも一部が前記放熱穴の筐体底面部分と対向すると共に、該ヒートシンクと筐体底面との間にほぼ均一な隙間を確保する位置に設けられるものである。
【０００６】
また、請求項２の発明は、請求項１に記載の光ディスク再生装置において、筐体内部には、前記ヒートシンクと筐体底面との間にほぼ均一な隙間を確保するためのスペース確保用ボスが設けられているものである。
【発明の効果】
【０００７】
本発明によれば、ヒートシンクと筐体底面との間にほぼ均一な隙間があるため、横置き時において、この隙間に沿って放熱穴から吸い込まれた空気がヒートシンク全面に拡散するので冷却効率が良くなる。また、ヒートシンクと筐体底面との隙間にある空気が断熱層として作用してヒートシンクの熱が筐体底面に直接伝導しないため、筐体底面の温度の上昇を防ぐことができ、例えばユーザが光ディスク再生装置を膝置きして使用した場合であっても、ユーザが低温火傷をすることを防ぐことができるので、使い勝手が良い。
【０００８】
また、放熱穴のうちの少なくとも１つが筐体側面から筐体底面にかけて形成されているので、光ディスク再生装置を横置きで使用した場合に放熱穴の筐体底面側が塞がれた場合であっても、放熱穴の筐体側面側から吸気を行うことができるため、良好な冷却効果を発揮できる。また、光ディスク再生装置を縦置きで使用した場合、縦置き時に筐体の下方に位置する放熱穴の筐体底面側から吸気を行い、筐体の上方に位置する放熱穴から排気を行い、これらの吸気口と排気口との間をヒートシンクと筐体底面との間の隙間で結ぶことによって煙突効果が生じる。ここで、ヒートシンクと筐体底面との間の隙間は、曲折しておらず、まっすぐであるため、この隙間を通る空気の流れはスムーズになる。従って、上記の煙突効果は顕著なものとなり、上記の隙間を通る空気により、自然対流では得られない更なる良好な冷却効果を得ることができ、冷却効率が良くなる。
【図面の簡単な説明】
【０００９】
【図１】本発明の実施形態に係るＢＤ再生装置を示す斜視図。
【図２】上記ＢＤ再生装置の底面の外観図。
【図３】上記ＢＤ再生装置の本体装置の分解斜視図。
【図４】上記ＢＤ再生装置の横置き時における放熱穴近傍の概略断面図。
【図５】上記ＢＤ再生装置の縦置き時における筐体底面近傍の概略断面図。
【発明を実施するための形態】
【００１０】
以下、本発明の一実施形態に係るポータブルブルーレイディスク再生装置（光ディスク再生装置）について、図面を参照して説明する。図１は、ポータブルブルーレイディスク再生装置（以下、ＢＤ再生装置という）１の斜視図を示す。ＢＤ再生装置１は、筐体の横置き及び縦置きの状態で使用可能な機器である。図１に示すＢＤ再生装置１は横置き状態である。
【００１１】
ＢＤ再生装置１は、映像を表示するためのディスプレイ２１を有する表示装置２と、ＢＤディスクを読み込むためのＢＤディスク再生部４１を有する本体装置４とを備える。表示装置２と本体装置４とは、ヒンジ機構５を介して連結されている。ヒンジ機構５は、図中矢印Ｒで示すように表示装置２をＡ軸回りに回転自在に保持すると共に、表示装置２を矢印Ｂ方向に開閉自在に保持している。
【００１２】
ユーザは、表示装置２が図１に示す状態のときに、表示装置２を矢印Ｒ方向に１８０度回転させた後に矢印Ｂの本体装置４方向に閉じることにより、表示装置２のディスプレイ２１をＢＤ再生装置１の外表面側に位置させることができる。このとき、筐体側面４ｅを底面として筐体を立てた状態が、ＢＤ再生装置１の縦置き状態である。
【００１３】
図２は、本体装置４の筐体底面４ａ側の外観を示す。筐体底面４ａは四角形状であり、４辺近傍のそれぞれに放熱穴６１〜６４が設けられている。放熱穴６１〜６４のうち、放熱穴６１〜６３は、それぞれ筐体底面４ａのエッジ部に形成されている。具体的には、放熱穴６１は、筐体側面４ｂと筐体底面４ａとの間のエッジ部に形成されている。放熱穴６３は、筐体側面４ｃと筐体底面４ａとの間のエッジ部に形成されている。また、放熱穴６４は、筐体側面４ｄと筐体底面４ａとの間のエッジ部に形成されている。
【００１４】
図３は、本体装置４の分解斜視図である。本体装置４は、上記ＢＤディスク再生部４１に加えて、稼動時に発熱するマイコン等が載置された基板４２と、基板４２から発生する熱を拡散するためのヒートシンク４３とを有する。ＢＤディスク再生部４１は、ＢＤディスクを回転させてデータを読み取るためのＢＤディスクドライブ４１ａが搭載されている。
【００１５】
筐体底面４ａの筐体内側には、筐体底面４ａと一体成形され、ヒートシンク４３と筐体底面４ａとの間に隙間を確保するためのスペース確保用ボス８１〜８４が設けられている。ヒートシンク４３は、スペース確保用ボス８１〜８４上に載置され、筐体底面４ａとヒートシンク４３との間には、ほぼ均一な隙間Ｓ（図４参照）が確保される。また、ヒートシンク４３は、平面形状であり、少なくとも一部が放熱穴６１〜６４の筐体底面４ａ部分と対向する位置に配されている（図４、図５参照）。
【００１６】
また、筐体底面４ａの筐体内側には、筐体底面４ａと一体成形され、制御基板４２の位置決め等を行うためのボス７１〜７４が設けられている。ボス７１〜７４は、筐体底面４ａから筐体内部まで貫通する円柱状の中空部を有する。ＢＤディスク再生部４１は、基板固定用ボス７１〜７４の中空部にビス９１〜９４が螺入されることによって、基板４２上に位置決めされた状態で、筐体下部４４に固定される。
【００１７】
次に、ＢＤ再生装置１の横置き時における吸気の流路について、図４を参照して説明する。図４は、ＢＤ再生装置１を横置き状態で使用したときの放熱穴６１近傍の概略断面を示す。ここでは、筐体底面４ａが例えばユーザの膝Ｈと接しているものとする。図中のＳは、筐体底面４ａとヒートシンク４３との間の隙間を示す。
【００１８】
図４に示すように、放熱穴６１は、筐体側面４ｂと筐体底面４ａの間のエッジ部に形成されており、筐体底面４ａが膝Ｈと接する場合、放熱穴６１の筐体底面４ａ側は塞がれるため、放熱穴６１の筐体側面４ｂ側から、図中の白抜き矢印方向に吸気される。そして、放熱穴６１から吸い込まれた空気は隙間Ｓに沿って、ヒートシンク４３全面に拡散し、ヒートシンク４３を冷却する。なお、放熱穴６３、６４についても、同様に筐体底面４ａが塞がれている場合であっても、筐体側面４ｃ、４ｄ側から吸気が可能である。
【００１９】
次に、ＢＤ再生装置１の縦置き時における吸気の流路について、図５を参照して説明する。図５は、ＢＤ再生装置１を縦置き状態で使用したときの筐体底面４ａ近傍の断面を示す。図中のＳは、筐体底面４ａとヒートシンク４３との間の隙間を示す。
【００２０】
横向き時における筐体底面４ａは縦置き時において筐体側面となり、横向き時における筐体側面４ｅは縦置き時において筐体底面となる。図に示すように隙間Ｓは、放熱穴６１から放熱穴６２までの間の障害のない滑らかな隙間である。
【００２１】
ＢＤ再生装置１を縦置きで使用したとき、基板４２の熱がヒートシンク４３に伝導し、ヒートシンク４３と筐体底面４ａとの間の隙間Ｓにおいて、放熱穴６２から吸気された空気には隙間Ｓにおいて煙突効果が生じる。すなわち、放熱穴６２が吸気側、放熱穴６１が排気側として作用し、放熱穴６２から吸気された空気は放熱穴６１から排気される。
【００２２】
上述したように、本実施形態に係るＢＤ再生装置１においては、ヒートシンク４３と筐体底面４ａとの間にほぼ均一な隙間Ｓがあるため、横置き時において、この隙間Ｓに沿って放熱穴６１〜６４から吸い込まれた空気がヒートシンク４３全面に拡散するので冷却効率が良くなる。また、ヒートシンク４３と筐体底面４ａとの隙間Ｓにある空気が断熱層として作用してヒートシンク４３の熱が筐体底面４ａに直接伝導しないため、筐体底面４ａの温度上昇を防ぐことができ、例えばユーザがＢＤ再生装置１を膝置きして使用した場合であっても、ユーザが低温火傷をすることを防ぐことができるので、使い勝手が良い。
【００２３】
また、放熱穴６１、６３、６４が筐体側面４ｂ〜４ｄから筐体底面４ａにかけて形成されているので、ＢＤ再生装置１を横置きで使用した場合に、放熱穴６１、６３、６４の筐体底面４ａ側が塞がれた場合であっても、放熱穴６１、６３、６４の筐体側面４ｂ〜４ｄ側から吸気を行うことができるため、良好な冷却効果を発揮できる。また、ＢＤ再生装置１を縦置きで使用した場合、縦置き時に筐体底面４ｅの下方に位置する放熱穴６２から吸気を行い、筐体上方に位置する放熱穴６１から排気を行い、これらの吸気口と排気口の間をヒートシンク４３と筐体底面４ａとの間の隙間Ｓで結ぶことによって煙突効果を生じる。ここで、ヒートシンク４３と筐体底面４ａとの間の隙間Ｓは、曲折しておらず、まっすぐであるため、この隙間Ｓを通る空気の流れはスムーズになる。従って、上記の煙突効果は顕著なものとなり、上記の隙間Ｓを通る空気により、自然対流では得られない更なる良好な冷却効果を得ることができ、冷却効率が良くなる。
【００２４】
なお、本発明は、上記実施形態の構成に限られず、発明の趣旨を変更しない範囲で種々の変形が可能である。例えば、上記実施形態において、請求項における光ディスク再生装置がＢＤ再生装置である場合の例を示したが、光ディスク再生装置はこれに限られず、例えばＤＶＤプレーヤであってもよい。
【符号の説明】
【００２５】
１  ＢＤ再生装置（光ディスク再生装置）
４２  基板（発熱体）
４３  ヒートシンク
６１〜６４  放熱穴
８１〜８４  スペース確保用ボス
４ａ  筐体底面
４ｂ〜４ｄ  筐体側面
【図１】
2011141922.tif 000003
【図２】
2011141922.tif 000004
【図３】
2011141922.tif 000005
【図４】
2011141922.tif 000006
【図５】
2011141922.tif 000007